(57)【要約】【課題】  郵送中にはがれるなどしてしまう危険性がない隠蔽用ラベルを有する往復葉書用紙を提供する。【解決手段】  往信葉書用紙と返信葉書用紙とが折線を介して連接され、前記往信葉書用紙の所定位置に隠蔽用ラベルが剥離可能に貼付されている往復葉書用紙であって、前記隠蔽用ラベルには、ラベル基材の左右両端縁に沿って各々切取用ミシンが形成され、前記各々切取用ミシン同士の内側に位置する前記ラベル基材の裏面に、再接着再剥離の機能を有する糊が設けられ、前記各々の切取用ミシンから各々外側に位置する前記ラベル基材の裏面に、再接着可能で再接着後に剥離不可能となる接着糊が設けられ、前記往信葉書用紙には、前記隠蔽用ラベルを剥離可能な状態として貼付する箇所であって、前記ラベル基材の裏面に設けられた再接着可能で再接着後に剥離不可能となる接着糊と接触する領域に、該接着糊により貼着後剥離可能とするための剥離処理が施されている。【選択図】        図１
2009172777.tif 000002
【特許請求の範囲】
【請求項１】
往信葉書用紙と返信葉書用紙とが折線を介して連接され、前記往信葉書用紙の所定位置に、前記返信葉書用紙に記載された情報を隠した状態で郵送するために用いる隠蔽用ラベルが、剥離可能に貼付されている往復葉書用紙であって、
前記隠蔽用ラベルには、ラベル基材の左右両端縁に沿って各々切取用ミシンが形成され、前記各々切取用ミシン同士の内側に位置する前記ラベル基材の裏面に、再接着再剥離の機能を有する糊が設けられ、前記各々の切取用ミシンから各々外側に位置する前記ラベル基材の裏面に、再接着可能で再接着後に剥離不可能となる接着糊が設けられ、
前記往信葉書用紙には、前記隠蔽用ラベルを剥離可能な状態として貼付する箇所であって、前記ラベル基材の裏面に設けられた再接着可能で再接着後に剥離不可能となる接着糊と接触する領域に、該接着糊により貼着後剥離可能とするための剥離処理が施されていることを特徴とする往復葉書用紙。
【請求項２】
前記往信葉書用紙は、折り畳み用ミシンを介して葉書寸法を有する２枚の紙片が連接され、前記２枚の紙片の裏面には、圧着後に剥離可能な圧着糊が設けられ、前記２枚の紙片のうち、外側に位置する紙片には、端縁に沿って切取用ミシンが形成され、前記切取用ミシンの外側に位置する紙片の裏面に、圧着後に剥離不可能な圧着糊が設けられ、更に前記折り畳み用ミシンから２つに折り畳まれた際に、該圧着糊と対接する紙片面にも、圧着後に剥離不可能な圧着糊が設けられていることを特徴とする請求項１記載の往復葉書用紙。
【請求項３】
前記往信葉書用紙の表面上領域の内、前記隠蔽用ラベルの裏面に設けられた再接着再剥離の機能を有する糊と接触する領域に剥離剤層が形成されていることを特徴とする請求項１記載の往復葉書用紙。
【発明の詳細な説明】
【技術分野】
【０００１】
本発明は、往復葉書を作成するための往復葉書用紙であって、特に、往復葉書の返信葉書に記載された内容を、第三者に漏洩されないように貼付する隠蔽用ラベルを予め往復葉書に剥離可能に貼付した往復葉書用紙に関する。
【背景技術】
【０００２】
従来、往復葉書を用いて情報の伝達を行なう際に、個人情報の秘密保持を保つことから、返信葉書に記載した個人情報の領域を、隠蔽用ラベルを剥離可能に貼り付けて外部から目視できない状態にして郵送することが行なわれている。
これらの隠蔽用ラベルについては、既に公知となっているものがある。（例えば、特許文献１〜３参照）
【０００３】
これらの隠蔽用ラベルは、葉書の所定部分に隠蔽用ラベルを剥離可能な接着剤などで貼付させているので、郵送途中において他の郵便物が隙間に入り込んだりして剥がれたり、開封などしてしまう危険性があり、秘密保持の点からも問題がある。
【０００４】
【特許文献１】特開平１０−１６６７６５号公報
【特許文献２】特開平１１−１２９６５４号公報
【特許文献３】特開平１１−３３４２５６号公報
【発明の開示】
【発明が解決しようとする課題】
【０００５】
そこで、本発明は、郵送の途中において他の郵便物が隙間に入り込んだりして、剥がれたり、開封などしてしまう危険性がなく、更に、故意に剥そうとしたとき又はミシン目などで開封したときに開封の履歴が残るようにして、開封されたことがわかるようにした隠蔽用ラベルを有する往復葉書用紙を提供する。
【課題を解決するための手段】
【０００６】
本発明の往復葉書用紙は、往信葉書用紙と返信葉書用紙とが折線を介して連接され、前記往信葉書用紙の所定位置に、前記返信葉書用紙に記載された情報を隠した状態で郵送するために用いる隠蔽用ラベルが、剥離可能に貼付されている往復葉書用紙であって、前記隠蔽用ラベルには、ラベル基材の左右両端縁に沿って各々切取用ミシンが形成され、前記各々切取用ミシン同士の内側に位置する前記ラベル基材の裏面に、再接着再剥離の機能を有する糊が設けられ、前記各々の切取用ミシンから各々外側に位置する前記ラベル基材の裏面に、再接着可能で再接着後に剥離不可能となる接着糊が設けられ、前記往信葉書用紙には、前記隠蔽用ラベルを剥離可能な状態として貼付する箇所であって、前記ラベル基材の裏面に設けられた再接着可能で再接着後に剥離不可能となる接着糊と接触する領域に、該接着糊により貼着後剥離可能とするための剥離処理が施されていることを特徴とする。
【０００７】
また、本発明の往復葉書用紙は、前記往信葉書用紙は、折り畳み用ミシンを介して葉書寸法を有する２枚の紙片が連接され、前記２枚の紙片の裏面には、圧着後に剥離可能な圧着糊が設けられ、前記２枚の紙片のうち、外側に位置する紙片には、端縁に沿って切取用ミシンが形成され、前記切取用ミシンの外側に位置する紙片の裏面に、圧着後に剥離不可能な圧着糊が設けられ、更に前記折り畳み用ミシンから２つに折り畳まれた際に、該圧着糊と対接する紙片面にも、圧着後に剥離不可能な圧着糊が設けられていることを特徴とする。
【０００８】
更に、本発明の往復葉書用紙は、前記往信葉書用紙の表面上領域の内、前記隠蔽用ラベルの裏面に設けられた再接着再剥離の機能を有する糊と接触する領域に剥離剤層が形成されていることを特徴とする。
【発明の効果】
【０００９】
本発明の往復葉書用紙は、ラベル基材の左右両端縁に沿って各々切取用ミシンが形成され、前記各々切取用ミシン同士の内側に位置する前記ラベル基材の裏面に、圧着後に剥離可能な圧着糊が設けられ、前記各々の切取用ミシンから各々外側に位置する前記ラベル基材の裏面に、再接着可能で再接着後に剥離不可能となる接着糊が設けられ、前記往信葉書用紙には、前記隠蔽用ラベルを剥離可能な状態として貼付する箇所であって、前記ラベル基材の裏面に設けられた再接着可能で再接着後に剥離不可能となる接着糊と接触する領域に、該接着糊により貼着後剥離可能とするための剥離処理が施されているので、郵送の途中において他の郵便物が隙間に入り込んだりして剥がれたり、開封などしてしまう危険性がなく、故意に剥そうとしたとき又はミシン目などで開封したときに開封の履歴が残るので開封されたことがわかるという効果がある。
【発明を実施するための最良の形態】
【００１０】
以下、本発明の実施形態に係る往復葉書用紙を、図面に基づいて詳細に説明する。
図１は、実施形態に係る往復葉書用紙の平面図、図２は、図１のＡ−Ａ線断面図である。
実施形態に係る往復葉書用紙１は、図１に示すように、往信葉書用紙１ａ，１ｂと返信葉書用紙１ｃとが折線２を介して横方向に連接されている。
折線２は、ミシン目により形成してもよい。
そして、往信葉書用紙１ｂの所定位置には、返信葉書用紙１ｃに記載された情報を隠した状態で郵送するために用いる隠蔽用ラベル３が、剥離可能に貼付されている。
隠蔽用ラベル３の寸法は、隠したい領域に応じて適宜大小サイズに変更することができる。
【００１１】
また、隠蔽用ラベル３には、ラベル基材の左右両端縁に沿って各々切取用ミシン４ａ，４ｂが形成されている。
切取用ミシン４ａ，４ｂ同士の内側に位置するラベル基材の裏面には、再接着再剥離の機能を有する糊５が設けられている。
この再接着再剥離の機能を有する糊５とは、接着力が弱く、繰り返し何度も接着及び剥離を行なえる性質を有する糊をさすものである。
また、各々の切取用ミシン４ａ，４ｂから各々外側に位置するラベル基材の裏面には、再接着可能で再接着後に剥離不可能となる性質を有する接着糊６ａ，６ｂが設けられている。
この再接着可能で再接着後に剥離不可能となる性質を有する接着糊６ａ，６ｂとは、一旦剥離させた後において、他の部分に貼付させた場合には、再び剥離できない接着力を有し接着状態を維持することができる糊である。
【００１２】
また、往信葉書用紙１ｂには、往信葉書用紙１ｂの表面上領域の内、隠蔽用ラベル３の裏面に設けられた再接着再剥離の機能を有する糊５と接触する領域に剥離剤１４が塗布されている。
更に、隠蔽用ラベル１を剥離可能な状態として貼付する箇所であって、ラベル基材の裏面に設けられた再接着可能で再接着後に剥離不可能となる接着糊６ａ，６ｂと接触する領域に、該接着糊６ａ，６ｂにより貼着後剥離可能とするための剥離剤７ａ，７ｂが塗布されており、これにより剥離処理が施されている。
尚、剥離剤１４は、接着力が弱く、再接着再剥離の機能を有する糊５を接着させた状態から剥離可能とすればよいことから、剥離力が剥離剤７ａ，７ｂの剥離力よりも弱い性質の剥離剤を用いればよい。
【００１３】
また、往信葉書用紙１ａ，１ｂは、中央から２つに折り畳んだ場合に往信葉書の寸法となるように、折り畳み用ミシン８を介して、それぞれが葉書寸法を有する２枚の紙片が連接された寸法を有している。
これらの往信葉書用紙１ａ，１ｂの紙片の裏面には、圧着後に剥離可能な圧着糊９が塗布されて設けられ、２枚の紙片のうち、外側に位置する往信葉書用紙１ａの紙片には、端縁に沿って切取用ミシン１０が形成され、前記切取用ミシン１０の外側に位置する紙片の裏面に、圧着後に剥離不可能な圧着糊１１ａが設けられ、更に前記折り畳み用ミシン８から２つに折り畳まれた際に、該圧着糊１１ａと対接する紙片面にも、圧着後に剥離不可能な圧着糊１１ｂが設けられている。
また、往復葉書用紙１の両端縁には、往復葉書用紙１を連続状態に連接した場合に、搬送するための複数の孔が等間隔で形成されているマージナルパンチ部１２ａ，１２ｂが設けられている。
尚、このマージナルパンチ部１２ａ，１２ｂは、必要に応じて設ければよく、必ずしも設ける必要はない。
【００１４】
ここで、圧着後に剥離可能な圧着糊９とは、圧力を加えた際に接着状態となるが、引き剥がすことで剥離可能となる糊をいう。
また、圧着後に剥離不可能な圧着糊１１ａとは、圧力を加えた際に接着状態となり、引き剥がそうと両側から引いても剥離できない糊をいう。
【００１５】
図３には、実施形態に係る往復葉書用紙から隠蔽用ラベルを剥離した状態を示す平面図、図４には、実施形態に係る往復葉書用紙から隠蔽用ラベルを剥離した状態を示す断面図が示されている。
往信葉書用紙１ｂに貼付されている隠蔽用ラベル３は、再接着可能で再接着後に剥離不可能となる接着糊６ａ，６ｂにより、往信葉書用紙１ｂの上面に塗布されている剥離剤７ａ，７ｂと剥離可能な状態で貼付されているので、図３及び図４に示すように、隠蔽用ラベル３を捲り上げることで剥離させることができる。
【００１６】
そして、往信葉書用紙１ｂから剥離させた隠蔽用ラベル３は、返信葉書用紙１ｃの上面の所定位置に置いて圧力を加えることで、隠蔽用ラベル３の裏面に設けられた、再接着再剥離の機能を有する糊５及び再接着可能で再接着後に剥離不可能となる接着糊６ａ，６ｂ
により返信葉書用紙１ｃ上に貼付させることができる。
これにより、隠蔽用ラベル３は、返信葉書用紙１ｃに記載されている個人情報などの第三者に見られては困るような情報が表示されている位置に貼り付けることで、郵送途中において秘密にしたい情報などの隠せるようにすることができる。
【００１７】
次に、図５乃至図８に基づいて、実施形態に係る往復葉書用紙１の使用方法について説明する。
まず、往復葉書用紙１の往信葉書用紙１ａ，１ｂの裏面に、所望の往信情報を印字または記載した後に、図５に示すように、折り畳み用ミシン８から往信葉書用紙１ａ，１ｂを折り畳んで加圧させることで、圧着後に剥離可能な圧着糊９同士が接着状態となる。
この状態で、往復葉書として郵送する。
【００１８】
そして、この往復葉書を受け取った受取人においては、往信葉書用紙１ａ，１ｂに記載された情報を見るために、図６に示すように、切取用ミシン１０から往信葉書用紙１ａの一部を切り取り、往信葉書用紙１ａを捲り上げることで、圧着後に剥離可能な圧着糊９で接着された部分を剥離させる。
これにより、往信情報を見ることができる。
【００１９】
次に、往復葉書の受取人が、返信葉書用紙１ｃを用いて返信する場合には、返信葉書用紙１ｃの所定部分に所望の情報を記載した後、往信葉書用紙１ｂから隠蔽用ラベル３を剥離させて、その隠蔽用ラベル３を返信葉書用紙１ｃの記載領域に置いて、加圧することで、図７に示すように、記載情報を隠蔽用ラベル３で覆い隠した状態とすることができる。
更に、折線２の部分から往信葉書用紙１ｂから返信葉書用紙１ｃを切り離して返信葉書として郵送させる。
【００２０】
そして、返信葉書の受取人は、図８に示すように、切取用ミシン４ａ，４ｂから隠蔽用ラベル３を切り取りながら、捲り上げることで、剥離剤１４の塗布層上から、再接着再剥離の機能を有する糊５を剥離させ、返信葉書用紙１ｃの記載情報１３を見ることができるようになっている。
【図面の簡単な説明】
【００２１】
【図１】本発明の実施形態に係る往復葉書用紙の平面図である。
【図２】図１のＡ−Ａ線断面図である。
【図３】本発明の実施形態に係る往復葉書用紙から隠蔽用ラベルを剥離した状態を示す平面図である。
【図４】本発明の実施形態に係る往復葉書用紙から隠蔽用ラベルを剥離した状態を示す断面図である。
【図５】本発明の実施形態に係る往復葉書用紙で往復葉書を作成した状態を示す断面図である。
【図６】本発明の実施形態に係る往復葉書用紙で作成した往復葉書から、往信葉書に記載された内容を見る状態を示す断面図である。
【図７】本発明の実施形態に係る往復葉書用紙で作成した往復葉書から、返信葉書を切り取り、返信葉書の所定部分に隠蔽用ラベルを貼付させた状態を示す断面図である。
【図８】本発明の実施形態に係る往復葉書用紙で作成した往復葉書の返信葉書を受取人が、返信葉書に貼付されている隠蔽用ラベルの１部を剥離させている状態を示す図である。
【符号の説明】
【００２２】
１  往復葉書用紙
１ａ，１ｂ  往信葉書用紙
１ｃ  返信葉書用紙
３  隠蔽用ラベル
４ａ，４ｂ，１０  切取用ミシン
５  再接着再剥離の機能を有する糊
９  圧着後に剥離可能な圧着糊
６ａ，６ｂ  再接着可能で再接着後に剥離不可能となる接着糊
７ａ，７ｂ  剥離剤
８  折り畳み用ミシン
１１ａ，１１ｂ  圧着後に剥離不可能な圧着糊
１２ａ，１２ｂ  マージナルパンチ部
１３  記載情報
【図１】
2009172777.tif 000003
【図２】
2009172777.tif 000004
【図３】
2009172777.tif 000005
【図４】
2009172777.tif 000006
【図５】
2009172777.tif 000007
【図６】
2009172777.tif 000008
【図７】
2009172777.tif 000009
【図８】
2009172777.tif 000010